(57)【要約】      （修正有）【課題】果実等の摘果、採果および採収における様々な作業内容に応じた握り方に柔軟に対応させることができる鋏、更には果実等のサイズを計測できる鋏を提供する。【解決手段】使用者が手指を掛けて操作する第１柄部４１および第２柄部は、基部５１、基部５１の後方に配置された指掛部６１、および、指掛部６１の内側に設けられる開口部８１を有する。指掛部６１は、基部５１から延びるように形成された指掛主体６２、指掛主体６２の前部に設けられる指掛前部６３、指掛主体６２の後部に設けられる指掛後部６４、および、指掛前部６３および指掛後部６４を接続するように設けられる指掛接続部６５を有する。指掛前部６３の前部から基部５１に連続する領域には、正面視で凹状の形状を有しているとともに、使用者が手指を掛けることが可能な指掛凹部６７を備える。【選択図】図３
0003224805.tif 000002
【実用新案登録請求の範囲】
【請求項１】
第１鋏体および第２鋏体が支持軸によって相互に回動可能に取り付けられた鋏であって、
前記支持軸に平行な方向から見た面を正面とし、
前記支持軸の中心を通り、前記第１鋏体および前記第２鋏体の長手方向に延びる仮想線を第１仮想線として、
前記第１鋏体および前記第２鋏体は、
正面視における輪郭線が前記第１仮想線に対して略対称な形状を有するとともに、使用者が手指を掛けて操作する柄部をそれぞれ有し、
前記柄部は、
前記第１鋏体および前記第２鋏体の刃先部側を前方とし、前記前方の反対側を後方として、
基部と、
前記基部の後方に配置された指掛部と、
前記指掛部の内側に設けられ、使用者の複数本の手指を挿通可能である開口部と、
を有し、
前記指掛部は、
前記基部から前記第１仮想線の方向に連続して延びるように形成された指掛主体と、
前記指掛主体の前部に設けられ、前記第１仮想線に対して交差する方向に延びる指掛前部と、
前記指掛主体の後部に設けられ、前記第１仮想線に対して交差する方向に延びる指掛後部と、
前記指掛前部および前記指掛後部を接続するように設けられる指掛接続部と、
を有し、
前記指掛前部の前部から前記基部に連続する領域には、正面視で凹状の形状を有しているとともに、使用者が手指を掛けることが可能な指掛凹部を備えた、
鋏。
【請求項２】
前記指掛凹部は、
前記指掛前部の前部から前記基部の前部に至る領域に設けられている、
請求項１に記載の鋏。
【請求項３】
正面視において、
前記指掛凹部のうち最も前方側の位置における接線を第１接線とし、
前記指掛凹部のうち最も前記第１仮想線から離れた位置における接線を第２接線として、
前記第１接線と前記第２接線とが成す角度は、６０度以上１００度以下である、
請求項１または請求項２に記載の鋏。
【請求項４】
正面視において、
前記指掛凹部のうち最も前記第１仮想線から離れた位置における接線を第２接線として、
前記第２接線と前記第１仮想線とが成す角度は、７０度以上１００度以下である、
請求項１から請求項３のいずれか１項に記載の鋏。
【請求項５】
前記指掛後部の後部には、正面視において、前記第１仮想線に対して略直交する方向に延びる後端部が形成されており、
前記後端部と前記指掛接続部とが連続する付近の領域には、指掛接続部の曲率よりも大きい曲率を有しているとともに、使用者が手指を掛けることが可能な指掛屈曲部を備えた、
請求項１から請求項４のいずれか１項に記載の鋏。
【請求項６】
正面視において、
前記指掛凹部のうち最も前記第１仮想線から離れた位置と、前記指掛屈曲部の頂点とを結ぶ仮想線を第２仮想線として、
前記第１仮想線と前記第２仮想線とが成す角度は、５度以下である、
請求項１から請求項５のいずれか１項に記載の鋏。
【請求項７】
正面視において、
前記指掛主体は、前記開口部側の面に形成されているとともに、前記第１仮想線から離れる方向に突出するように湾曲する指掛保持部を有する、
請求項１から請求項６のいずれか１項に記載の鋏。
【請求項８】
前記第１鋏体および前記第２鋏体は、それぞれ刃体を有し、
前記各刃体は、
刃先部側に形成され、厚み方向の寸法が小さい薄刃部と、
前記薄刃部よりも後方に形成され、前記薄刃部よりも厚み方向の寸法が大きい厚刃部と、
を有する、
請求項１から請求項７のいずれか１項に記載の鋏。
【請求項９】
前記第１仮想線に沿う方向における、前記薄刃部の刃線の長さは、
前記第１仮想線に沿う方向における、前記刃体に形成された刃線の全長の１０パーセントから５０パーセントである、
請求項１から請求項８のいずれか１項に記載の鋏。
【請求項１０】
正面視において、
前記刃体は、
刃先部が湾曲形状に形成されている、
請求項１から請求項９のいずれか１項に記載の鋏。
【請求項１１】
前記第１鋏体および前記第２鋏体は、
それぞれ前記柄部に接続された刃体を有し、
前記第１鋏体および／または前記第２鋏体の前記刃体および／または前記柄部には、
文字、図形、記号およびこれらの組み合わせを表示する表示部が形成され、
前記表示部は、
前記刃体および／または前記柄部に形成され、文字、図形、記号およびこれらの組み合わせを表示するレーザー加工部を有する、
請求項１から請求項１０のいずれか１項に記載の鋏。
【請求項１２】
前記第１鋏体および／または前記第２鋏体の前記刃体および前記柄部に前記表示部が形成され、
前記表示部は、寸法を測定するための目盛りを表示する、
請求項１１に記載の鋏。
【考案の詳細な説明】
【技術分野】
【０００１】
本考案は、鋏に関する。より詳しくは、果実等の摘果、採果、あるいは採収等に用いられる鋏に関する。
【背景技術】
【０００２】
従来、果実等の間引き（摘果）や、果実等の収穫（採果、採収）等に用いられる鋏が知られている（例えば、特許文献１、２参照）。
【０００３】
果実等の摘果、採果および採収等を行う場合、狭い場所に鋏の刃先を差し込んで切断を行う細かい作業や、力を入れて小枝を切断する作業など、様々な作業を連続的に行う必要がある。
【０００４】
これらの作業には、それぞれ適切な鋏の握り方がある。例えば、細かい作業を行う場合には、刃先の位置や力の制御を行いやすい握り方が好ましく、また、力が必要な作業を行う場合には、力を入れやすい握り方が好ましい。作業者は、作業の内容や好みに応じて鋏の握り方を変化させながらこれらの作業を行う。このため、作業内容に応じた握り方に柔軟に対応させることができる鋏が望まれている。
【０００５】
また、一方で果実等の摘果、採果および採収等における様々な作業内容に応じ、果実等のサイズの判断を併せて行うことができれば更に望ましい。この点については、従来鋏に目盛を付することがなされている（例えば、特許文献３参照。）。
しかし使用による消耗により長期間に亘って目盛の判別を行うことは困難であった。
【先行技術文献】
【特許文献】
【０００６】
【特許文献１】実用新案登録第３０６５１２２号公報
【特許文献２】特開昭５４−１０１５０号公報
【特許文献３】実開昭４８−４１７５６号公報
【考案の概要】
【考案が解決しようとする課題】
【０００７】
本考案の目的は、果実等の摘果、採果および採収等における様々な作業内容に応じた握り方に柔軟に対応させることができる鋏を提供することである。
【０００８】
また本考案の更なる目的は、上記課題に加えて、果実等の摘果、採果および採収等における様々な作業内容に応じ、当該果実等のサイズの識別を長期間に亘って併せて行うことができる鋏を提供することである。
【課題を解決するための手段】
【０００９】
本考案の鋏は、
第１鋏体および第２鋏体が支持軸によって相互に回動可能に取り付けられた鋏であって、
前記支持軸に平行な方向から見た面を正面とし、
前記支持軸の中心を通り、前記第１鋏体および前記第２鋏体の長手方向に延びる仮想線を第１仮想線として、
前記第１鋏体および前記第２鋏体は、
正面視における輪郭線が前記第１仮想線に対して略対称な形状を有するとともに、使用者が手指を掛けて操作する柄部をそれぞれ有し、
前記柄部は、
前記第１鋏体および前記第２鋏体の刃先部側を前方とし、前記前方の反対側を後方として、
基部と、
前記基部の後方に配置された指掛部と、
前記指掛部の内側に設けられ、使用者の複数本の手指を挿通可能である開口部と、
を有し、
前記指掛部は、
前記基部から前記第１仮想線の方向に連続して延びるように形成された指掛主体と、
前記指掛主体の前部に設けられ、前記第１仮想線に対して交差する方向に延びる指掛前部と、
前記指掛主体の後部に設けられ、前記第１仮想線に対して交差する方向に延びる指掛後部と、
前記指掛前部および前記指掛後部を接続するように設けられる指掛接続部と、
を有し、
前記指掛前部の前部から前記基部に連続する領域には、正面視で凹状の形状を有しているとともに、使用者が手指を掛けることが可能な指掛凹部を備える。
【００１０】
また、本考案の鋏は、上記鋏の構成を前提として、
前記第１鋏体および前記第２鋏体は、
それぞれ前記柄部に接続された刃体を有し、
前記第１鋏体および／または前記第２鋏体の前記刃体および／または前記柄部には、
文字、図形、記号およびこれらの組み合わせを表示する表示部が形成され、
前記表示部は、
前記刃体および／または前記柄部に形成され、文字、図形、記号およびこれらの組み合わせを表示するレーザー加工部を有する。
【考案の効果】
【００１１】
本考案の鋏によれば、果実等の摘果、採果および採収等における様々な作業内容に応じた握り方に柔軟に対応させることができる。
【００１２】
また、本考案の鋏によれば、上記効果に加えて、果実などのサイズの識別を長期間に亘って併せて行うことができる。
【図面の簡単な説明】
【００１３】
【図１】図１は、本考案の実施形態に係る鋏の斜視図である。
【図２】図２は、鋏の正面図である。
【図３】図３は、第１柄部の拡大図である。
【図４】図４は、鋏の左側面である。
【図５】図５は、第１刃体および第２刃体の刃先部側の一部を示す正面図である。
【図６】図６は、第１柄部の指掛部に使用者が手指を掛けている状態を示す正面図である。
【図７】図７は、第１柄部の指掛部に使用者が手指を掛けている状態を示す正面図である。
【図８】図８は、第１柄部の指掛部に使用者が手指を掛けている状態を示す正面図である。
【図９】図９は、鋏を用いて果実を摘果する状態を示す右側面図である。
【図１０】図１０は、実施形態２に係る鋏の正面図である。
【考案を実施するための形態】
【００１４】
本考案の一実施形態にかかる鋏は、
第１鋏体および第２鋏体が支持軸によって相互に回動可能に取り付けられた鋏であって、
前記支持軸に平行な方向から見た面を正面とし、
前記支持軸の中心を通り、前記第１鋏体および前記第２鋏体の長手方向に延びる仮想線を第１仮想線として、
前記第１鋏体および前記第２鋏体は、
正面視における輪郭線が前記第１仮想線に対して略対称な形状を有するとともに、使用者が手指を掛けて操作する柄部をそれぞれ有し、
前記柄部は、
前記第１鋏体および前記第２鋏体の刃先部側を前方とし、前記前方の反対側を後方として、
基部と、
前記基部の後方に配置された指掛部と、
前記指掛部の内側に設けられ、使用者の複数本の手指を挿通可能である開口部と、
を有し、
前記指掛部は、
前記基部から前記第１仮想線の方向に連続して延びるように形成された指掛主体と、
前記指掛主体の前部に設けられ、前記第１仮想線に対して交差する方向に延びる指掛前部と、
前記指掛主体の後部に設けられ、前記第１仮想線に対して交差する方向に延びる指掛後部と、
前記指掛前部および前記指掛後部を接続するように設けられる指掛接続部と、
を有し、
前記指掛前部の前部から前記基部に連続する領域には、正面視で凹状の形状を有しているとともに、使用者が手指を掛けることが可能な指掛凹部を備える（第１の構成）。
【００１５】
上記構成によれば、指掛前部の前部から基部に連続する領域には、開口部よりも前方に手指を出して手指を掛けることが可能な指掛凹部が設けられている。指掛凹部に手指を掛けた状態では力を制御しやすくなり、細かい作業を行いやすい。また、指掛凹部に指を掛けずに開口部に手指を挿通させた状態では、力を入れやすくなり、力が必要な作業を行いやすい。このため、作業内容に応じた握り方に柔軟に対応させることができる。
【００１６】
上記第１の構成において、
前記指掛凹部は、
前記指掛前部の前部から前記基部の前部に至る領域に設けられていてもよい（第２の構成）。
【００１７】
上記構成によれば、指掛凹部は、指掛前部の前部から基部の前部に至る領域に設けられている。このため、指掛凹部に掛けた手指が安定しやすくなる。
【００１８】
上記第１又は第２のいずれかの構成において、
正面視において、
前記指掛凹部のうち最も前方側の位置における接線を第１接線とし、
前記指掛凹部のうち最も前記第１仮想線から離れた位置における接線を第２接線として、
前記第１接線と前記第２接線とが成す角度は、６０度以上１００度以下であってもよい（第３の構成）。
【００１９】
上記構成によれば、指掛凹部は、第１接線と第２接線とが成す角度が６０度以上１００度以下となるように形成されている。このため、指掛凹部に掛けた手指がずれにくく、鋏を安定させることができる。
【００２０】
上記第１から第３のいずれかの構成において、
正面視において、
前記指掛凹部のうち最も前記第１仮想線から離れた位置における接線を第２接線として、
前記第２接線と前記第１仮想線とが成す角度は、７０度以上１００度以下であってもよい（第４の構成）。
【００２１】
上記構成によれば、指掛凹部は、第２接線と第１仮想線とが成す角度が７０度以上１００度以下となるように形成されている。指掛凹部が適度に開いていることにより、指掛凹部に手指を掛けた状態と、指掛凹部から手指を外した状態とを切り替えやすくなる。このため、作業内容に応じた握り方に柔軟に対応させることができる。
【００２２】
上記第１から第４のいずれかの構成において、
前記指掛後部の後部には、正面視において、前記第１仮想線に対して略直交する方向に延びる後端部が形成されており、
前記後端部と前記指掛接続部とが連続する付近の領域には、指掛接続部の曲率よりも大きい曲率を有しているとともに、使用者が手指を掛けることが可能な指掛屈曲部を備えてもよい（第５の構成）。
【００２３】
上記構成によれば、指掛後部と指掛接続部とが連続する付近の領域には、使用者が手指を掛けることが可能な指掛屈曲部が設けられている。指掛屈曲部に手指を掛けた状態では、鋏がぶれにくくなり、鋏を安定させることができる。
【００２４】
上記第１から第５のいずれかの構成において、
正面視において、
前記指掛凹部のうち最も前記第１仮想線から離れた位置と、前記指掛屈曲部の頂点とを結ぶ仮想線を第２仮想線として、
前記第１仮想線と前記第２仮想線とが成す角度は、５度以下であってもよい（第６の構成）。
【００２５】
上記構成によれば、第１仮想線と第２仮想線とが成す角度を５度以下として、柄部の後部の幅を広くしている。このため、鋏がぶれにくくなり、鋏を安定させることができる。
【００２６】
上記第１から第６のいずれかの構成において、
正面視において、
前記指掛主体は、前記開口部側の面に形成されているとともに、前記第１仮想線から離れる方向に突出するように湾曲する指掛保持部を有してもよい（第７の構成）。
【００２７】
上記構成によれば、指掛主体には、開口部側の面に指掛保持部が設けられている。使用者の手指に指掛保持部が接触することにより、使用者の手指に作用する力が分散され、使用者の手指に与える負担を軽減することができる。
【００２８】
上記第１から第７のいずれかの構成において、
前記第１鋏体および前記第２鋏体は、それぞれ刃体を有し、
前記各刃体は、
刃先部側に形成され、厚み方向の寸法が小さい薄刃部と、
前記薄刃部よりも後方に形成され、前記薄刃部よりも厚み方向の寸法が大きい厚刃部と、
を有してもよい（第８の構成）。
【００２９】
上記構成によれば、各刃体の先端部には、薄刃部が設けられ、薄刃部の後方には厚刃部が設けられている。薄刃部は狭い場所に差し込みやすいため、狭い場所での作業が行いやすくなる。また、厚刃部は力を入れて切断する作業に適しているため、小枝の切断など力を必要とする切断作業を行うことができる。
【００３０】
上記第１から第８のいずれかの構成において、
前記第１仮想線に沿う方向における、前記薄刃部の刃線の長さは、
前記第１仮想線に沿う方向における、前記刃体に形成された刃線の全長の１０パーセントから５０パーセントとしてもよい（第９の構成）。
【００３１】
上記構成によれば、薄刃部の刃線の長さは、刃線の全長の１０パーセントから５０パーセントである。薄刃部の長さを確保できるため、薄刃部を用いた狭い場所での作業が行いやすくなる。
【００３２】
上記第１から第９のいずれかの構成において、
正面視において、
前記刃体は、
刃先部が湾曲形状に形成されていてもよい（第１０の構成）。
【００３３】
上記構成によれば、刃先部が湾曲形状に形成されている。このため、果実等の採果や採収等を行う際に、刃先部で果実等に傷を付けにくくなる。
【００３４】
上記第１から第１０のいずれかの構成において、
前記第１鋏体および前記第２鋏体は、
それぞれ前記柄部に接続された刃体を有し、
前記第１鋏体および／または前記第２鋏体の前記刃体および／または前記柄部には、
文字、図形、記号およびこれらの組み合わせを表示する表示部、を有してもよい（第１１の構成）。
【００３５】
上記構成によれば、第１鋏体および／または第２鋏体に表示される表示部は、レーザー加工部によって構成されている。このため従来のホットスタンプやパッド印刷といったインクや箔押し等と比較して、表示部が摩耗して表示部が見にくくなることを抑制することができる。
【００３６】
上記第１１の構成において、
前記第１鋏体および／または前記第２鋏体の前記刃体および前記柄部に前記表示部が形成され、
前記表示部は、寸法を測定するための目盛りを表示してもよい（第１２の構成）。
【００３７】
上記構成によれば、寸法を測定するための目盛りが表示部によって表示される。このため、表示部の目盛りを用いて果実等の大きさを測定しながら果実等の採果や採収等を行うことができる。
【００３８】
［実施形態１］
以下、図面を参照し、本考案の実施形態１に係る鋏１００を詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００３９】
［全体構成］
まず、鋏１００の全体構成について説明する。図１は、本考案の実施形態に係る鋏１００の斜視図である。本実施形態に係る鋏１００は、果実等の摘果、採果、あるいは採収に用いられる鋏であり、特に葡萄の摘果や採果に適した鋏である。以下の図では、矢印Ｆは鋏１００の前方向を示し、矢印Ｂは後方向を示す。矢印Ｕは上方向を示し、矢印Ｄは下方向を示す。矢印Ｒは右方向を示し、矢印Ｌは左方向を示す。
【００４０】
図１に示すように、鋏１００は、第１鋏体１１および第２鋏体１２を有している。第１鋏体１１および第２鋏体１２は、支持軸１５によって相互に回動可能に取り付けられている。
【００４１】
第１鋏体１１は、第１刃体２１および第１柄部４１を有し、第２鋏体１２は、第２刃体２２および第２柄部４２を有している。第１刃体２１および第１柄部４１はそれぞれ別部材で構成されており、第２刃体２２および第２柄部４２もそれぞれ別部材で構成されている。第１刃体２１および第２刃体２２は鋼材を用いて形成されており、それぞれ刃線２３が形成されている。
【００４２】
第１柄部４１および第２柄部４２は、使用者が手指を掛けて操作する部分である。第１柄部４１は、第１刃体２１の後部に接続され、第２柄部４２は、第２刃体２２の後部に接続されている。使用者が第１柄部４１および第２柄部４２を手指で開閉することにより、第１刃体２１および第２刃体２２が開閉される。第１柄部４１および第２柄部４２は、樹脂で形成されている。
【００４３】
図２は、鋏１００の正面図である。支持軸１５の中心軸１５１に平行な方向が上方向Ｕおよび下方向Ｄに相当する。上方向Ｕから見た鋏１００の面は、本考案の鋏の正面視に相当する。第１刃体２１および第２刃体２２の刃先部２５側は前方Ｆに相当し、刃先部２５側の反対側は後方Ｂに相当する。
【００４４】
図２に示すように、支持軸１５の中心軸１５１を通り、第１鋏体１１および第２鋏体１２の長手方向（前後方向）に延びる仮想線を第１仮想線ＶＬ１とする。第１柄部４１および第２柄部４２は、正面視における輪郭線が第１仮想線ＶＬ１に対して略対称な形状を有している。このため、以下では主に第１柄部４１の構成について詳細に説明し、第２柄部４２の構成については詳細な説明を省略する場合がある。
【００４５】
第１柄部４１は、基部５１、指掛部６１、および開口部８１を有している。
【００４６】
基部５１は、内部に第１刃体２１が挿通されており、第１刃体２１を保持する部分である。
【００４７】
指掛部６１は、基部５１の後方に連続して形成されている部分である。指掛部６１は、第１刃体２１を保持する部分であるとともに、使用者が手指で操作する部分である。
【００４８】
開口部８１は、指掛部６１の内側に設けられている。開口部８１には、使用者の複数本の手指、例えば、人指し指（第２指）ＦＧ２、中指（第三指）ＦＧ３、および薬指（第四指）ＦＧ４の３本を挿通可能である（図６参照）。第１柄部４１の開口部８１に３本の手指を挿通させた状態では、第２柄部４２の開口部８１には親指（第１指）ＦＧ１を挿通して鋏１００を保持することが可能である。また、第１柄部４１および第２柄部４２は略対称な形状を有しているため、第２柄部４２の開口部８１に例えば人指し指ＦＧ２、中指ＦＧ３、および薬指ＦＧ４の３本を挿通し、第１柄部４１の開口部８１に親指ＦＧ１を挿通させて鋏１００を保持することも可能である。
【００４９】
図３は、第１柄部４１の拡大図である。第１柄部４１の指掛部６１は、指掛主体６２、指掛前部６３、指掛後部６４、および指掛接続部６５を有している。
【００５０】
指掛主体６２は、基部５１から第１仮想線ＶＬ１の方向に連続して延びるように形成されている。指掛主体６２は、内部に第１刃体２１が挿通されている。
【００５１】
指掛前部６３は、指掛主体６２の前部に設けられている。指掛前部６３は、指掛主体６２に連続して形成されており、第１仮想線ＶＬ１に対して交差する方向（右方Ｒ）に延びている。
【００５２】
指掛後部６４は、指掛主体６２の後部に設けられている。指掛後部６４は、指掛主体６２に連続して形成されており、第１仮想線ＶＬ１に対して交差する方向（右方Ｒ）に延びている。
【００５３】
指掛接続部６５は、指掛前部６３および指掛後部６４に対してそれぞれ連続しており、指掛前部６３および指掛後部６４を接続するように形成されている。指掛接続部６５は、前後方向の中央部が第１仮想線ＶＬ１に対して離れる方向（右方Ｒ）に突出するように湾曲している。
【００５４】
開口部８１は、指掛主体６２、指掛前部６３、指掛後部６４、および指掛接続部６５に取り囲まれるように形成されている。開口部８１は、平面視で長孔を湾曲させた形状を有している。
【００５５】
指掛前部６３の前部から基部５１の前部に至る領域には、指掛凹部６７が形成されている。指掛凹部６７は、正面視で凹状の形状を有している。指掛凹部６７は、使用者が鋏１００を保持する際に、手指を掛けることが可能である。
【００５６】
指掛凹部６７が、指掛前部６３の前部から基部５１の前部に至る領域に設けられていることにより、指掛凹部６７に掛けた手指が安定しやすくなる。
【００５７】
ここで、正面視において、指掛凹部６７のうち最も前方Ｆ側の位置をＰ１とする。位置Ｐ１は、指掛凹部６７の前方Ｆの部分において、指掛凹部６７の凹状の領域から指掛凹部６７から外れた凸状の領域に移行する境界に相当する。そして、平面視において、位置Ｐ１における接線を第１接線ＴＬ１とする。
【００５８】
また、正面視において、指掛凹部６７のうち最も第１仮想線ＶＬ１から離れた位置をＰ２とする。位置Ｐ２は、指掛凹部６７の右方Ｒの部分において、指掛凹部６７の凹状の領域から指掛凹部６７より外れた凸状の領域に移行する境界に相当する。そして、平面視において、位置Ｐ２における接線を第２接線ＴＬ２とする。
【００５９】
第１接線ＴＬ１と第２接線ＴＬ２とが成す角度をθ１とすると、指掛凹部６７は、角度θ１が６０度以上１００度以下となるように形成されることが好ましい。本実施形態では、指掛凹部６７は、角度θ１が約６５度となるように形成されている。
【００６０】
角度θ１が６０度以上１００度以下となるように形成されていることにより、指掛凹部６７に掛けた手指がずれにくく、鋏１００を安定して保持することができる。
【００６１】
また、第２接線ＴＬ２と第１仮想線ＶＬ１とが成す角度をθ２とすると、指掛凹部６７は、角度θ２が７０度以上１００度以下となるように形成されることが好ましい。本実施形態では、指掛凹部６７は、角度θ２が約８０度となるように形成されている。
【００６２】
角度θ２が７０度以上１００度以下となるように形成されていることにより、指掛凹部６７が適度に開いた形状となる。このため、指掛凹部６７に手指を掛けた状態と、指掛凹部６７から手指を外した状態とを切り替えやすくなる。
【００６３】
指掛後部６４の後部には、正面視において、第１仮想線ＶＬ１に対して略直交する方向に延びる後端部６９が形成されている。後端部６９は、正面視において、略平坦に形成されている。
【００６４】
後端部６９と指掛接続部６５とが連続する付近の領域には、指掛屈曲部７０が形成されている。指掛屈曲部７０は、指掛接続部６５の曲率よりも大きい曲率を有している。指掛屈曲部７０が形成されることにより、使用者は、指掛屈曲部７０および指掛屈曲部７０の前方Ｆの指掛接続部６５に手指を掛けることが可能になる。
【００６５】
指掛屈曲部６５に手指を掛けた状態では、鋏１００がぶれにくくなり、鋏１００を安定させることができる。
【００６６】
正面視において、指掛屈曲部７０の頂点を位置Ｐ３とし、位置Ｐ３と位置Ｐ２とを結ぶ仮想線を第２仮想線ＶＬ２とする。そして、第１仮想線ＶＬ１と第２仮想線ＶＬ２とが成す角度をθ３とすると、角度θ３は、位置P２を第２仮想線ＶＬ２の回転軸として、位置P３が第１仮想線ＶＬ１から離れる方向へ５度以下となるようにすることが好ましい。本実施形態では、指掛屈曲部７０は、角度θ３が約０度となるように形成されている。
【００６７】
角度θ３が当該５度以下となるように指掛後部６４および指掛接続部６５を形成することにより、指掛部６１の後部の左右方向の幅を広くすることができる。このため、鋏１００がぶれにくくなり、鋏１００を安定させることができる。
【００６８】
指掛主体６２には、指掛保持部７２が形成されている。指掛保持部７２は、指掛主体６２の開口部８１側の面に形成されている。指掛保持部７２は、正面視において、第１仮想線ＶＬ１から離れる方向（右方Ｒ）に突出するように湾曲している。
【００６９】
使用者が鋏１００を把持した状態で、使用者の手指に指掛保持部７２が接触することにより、使用者の手指に作用する力が分散され、使用者の手指に与える負担を軽減することができる。
【００７０】
図４は、鋏１００の左側面である。図４に示すように、第１刃体２１および第２刃体２２は、それぞれ薄刃部１３、厚刃部１７、および傾斜部１８を有している。
【００７１】
薄刃部１３は、第１刃体２１および第２刃体２２のそれぞれの刃先部２５側に形成されている。薄刃部１３は、第１刃体２１および第２刃体２２のそれぞれの厚み方向における寸法が小さい部分である。
【００７２】
厚刃部１７は、薄刃部１３よりも後方Ｂに形成されている。厚刃部１７は、薄刃部１３よりも第１刃体２１および第２刃体２２のそれぞれの厚み方向の寸法が大きい部分である。
【００７３】
傾斜部１８は、薄刃部１３および厚刃部１７の間に形成されている。傾斜部１８は、厚み方向の寸法が小さい薄刃部１３から、厚み方向の寸法が薄刃部１３より大きい厚刃部１７まで刃厚を漸次増加させる部分である。
【００７４】
薄刃部１３は狭い場所に差し込みやすいため、狭い場所での作業が行いやすくなる。また、厚刃部１７は力を入れて切断する作業に適しているため、小枝の切断など力を必要とする切断作業を行うことができる。
【００７５】
図５は、第１刃体２１および第２刃体２２の刃先部２５側の一部を示す正面図である。図５に示すように、第１仮想線ＶＬ１に沿う方向における、第１刃体２１および第２刃体２２に形成された刃線２３の全長をＬ１とする。また、第１仮想線ＶＬ１に沿う方向における、薄刃部１３の刃線２３の長さをＬ２とする。薄刃部１３の刃線２３の長さＬ２は、刃線２３の全長Ｌ１の１０パーセントから５０パーセントが好ましく、２０パーセントから４０パーセントがさらに好ましい。本実施形態では、薄刃部１３の刃線２３の長さＬ２は、刃線２３の全長Ｌ１の約３０パーセントである。
【００７６】
薄刃部１３の刃線２３の長さＬ２を、刃線２３の全長Ｌ１の１０パーセントから５０パーセントとすることにより、薄刃部１３の長さを確保できるため、薄刃部１３を用いた狭い場所での作業が行いやすくなる。
【００７７】
第１刃体２１および第２刃体２２の刃先部２５は、正面視において湾曲形状に形成されている。このため、果実等の採果や採収等を行う際に、刃先部２５で果実等に傷を付けにくくなる。
【００７８】
次に、果実等の摘果、採果および採収における様々な作業内容に応じた握り方について説明する。図６、図７、および図８は、第１柄部４１の指掛部６１に使用者が手指を掛けている状態を示す正面図である。
【００７９】
図６では、指掛部６１の開口部８１に、使用者の人指し指（第２指）ＦＧ２、中指（第三指）ＦＧ３、および薬指（第四指）ＦＧ４の３本を挿通させている状態を示している。この握り方の状態を、指入れスタイルとすると、指入れスタイルでは、人指し指（第２指）ＦＧ２が開口部８１に入っているため、力を入れやすくなり、力が必要な作業を行いやすい。
【００８０】
図７では、指掛部６１の開口部８１に、使用者の中指（第三指）ＦＧ３、および薬指（第四指）ＦＧ４の２本を挿通させ、人指し指（第２指）ＦＧ２を指掛凹部６７に掛けた状態を示している。この握り方の状態を、指置きスタイルとすると、指置きスタイルでは、人指し指（第２指）ＦＧ２が前方Ｆに出ることにより、力を制御しやすくなり、細かい作業を行いやすい。
【００８１】
図８では、指掛部６１の開口部８１に、使用者の中指（第三指）ＦＧ３、および薬指（第四指）ＦＧ４の２本を挿通させ、小指（第五指）ＦＧ５を指掛屈曲部７０に掛けた状態を示している。この握り方の状態を、小指出しスタイルとすると、小指出しスタイルでは、小指（第五指）ＦＧ５が指掛部６１の外側を押さえることにより、鋏１００がぶれにくくなり、鋏１００を安定させることができる。
【００８２】
図９は、鋏１００を用いて果実を採果する状態を示す右側面図である。図９では、鋏１００を用いて、例えば、葡萄ＧＰの摘果を行う状態を示している。図９に示すように、第１刃体２１および第２刃体２２に形成された薄刃部１３は、狭い場所に差し込みやすいため、例えば、葡萄の粒ＧＰ１と粒ＧＰ２の間のような狭い場所で軸ＧＢを切断する作業を容易に行うことができる。また、薄刃部１３は、薄刃として構成されることから、果実との接触を回避しやすく、果実の傷付きを低減することができる。
【００８３】
以上説明した本実施形態に係る鋏１００によれば、作業内容に応じた握り方に柔軟に対応させることができる。
【００８４】
［実施形態２］
実施形態２の鋏１００Ａは、表示部９１が設けられている点が実施形態１と異なっている。以下の説明において、実施形態１と同様の構成には同一の符号を付して説明を省略し、実施形態１と異なる構成についてのみ説明する。
【００８５】
図１０は、実施形態２に係る鋏１００Ａの正面図である。図１０に示すように、鋏１００Ａは、第１鋏体１１および第２鋏体１２Ａを有している。第２鋏体１２Ａは、第２刃体２２Ａおよび第２柄部４２Ａを有しており、第２刃体２２Ａおよび第２柄部４２Ａに表示部９１が設けられている。
【００８６】
本実施形態の表示部９１は、寸法を測定するための目盛り９５を表示している。具体的には、刃先部２５から１センチメートル間隔をおいて左右方向に延びる目盛り９５が表示され、目盛り９５の前方側に刃先部２５からの寸法を表す数値９６が表示されている。なお、刃先部２５から１センチメートルと２センチメートルの目盛り９５は省略され、刃先部２５から２．５センチメートルと３．５センチメートルの目盛り９５が追加されている。
【００８７】
寸法を測定するための目盛り９５および数値９６が表示部９１によって表示されているため、表示部９１を用いて果実等の大きさを測定しながら果実等の採果や採収等を行うことができる。
【００８８】
表示部９１は、レーザー加工部９２から構成されている。
【００８９】
レーザー加工部９２は、第２刃体２２Ａおよび第２柄部４２Ａに形成された凹状の部分である。本実施形態では、レーザー加工部９２は、正面視で目盛り９５および数値９６の形状に形成されている。レーザー加工部９２は、レーザー加工機を用いて形成される。
【００９０】
第２柄部４２Ａにおけるレーザー加工部９２（９２Ａ）は、レーザー加工により樹脂が膨張した状態で表面より数ミリメートル程度膨らんだ状態としている。
また第２刃体２２Ａにおけるレーザー加工部９２（９２Ｂ）は、凹部として構成されている。
【００９１】
レーザー加工部９２（９２Ａ）は樹脂が熱によって膨張して構成されているため、また、レーザー加工部９２（９２Ｂ）はレーザー加工により凹部として構成されているため、いずれについても、表示部９１が摩耗して表示部９１が見にくくなることを抑制することができる。
【００９２】
表示部９１は、実施形態２においては、第２刃体２２Ａおよび第２柄部４２Ａに設けたが、これに代えて若しくはこれに加えて、第１鋏体１１に設けることもできる。
なお、表示部９１は、目盛り９５や寸法の数値９６に限定されず、文字、図形、記号およびこれらの組み合わせを表示するものであってもよい。
【００９３】
［変形例］
本考案に係る鋏は、上記説明した本実施形態に限定されない。例えば、鋏１００を構成する各部分の形状や構成等は、本実施形態の形状や構成等に限定されない。
【００９４】
以上、本考案の実施形態を説明したが、上述した実施形態は本考案を実施するための例示に過ぎない。よって、本考案は上述した実施形態に限定されることなく、その趣旨を逸脱しない範囲内で上述した実施形態を適宜変形して実施することが可能である。
【符号の説明】
【００９５】
１００  鋏
１１    第１鋏体
１２    第２鋏体
１３    薄刃部
１５    支持軸
２５    刃先部
４１    第１柄部
４２    第２柄部
５１    基部
６１    指掛部
６２    指掛主体
６３    指掛前部
６４    指掛後部
６５    指掛接続部
６７    指掛凹部
８１    開口部
ＴＬ１  第１接線
ＴＬ２  第２接線
ＶＬ１  第１仮想線
ＶＬ２  第２仮想線
【図１】
0003224805.tif 000003
【図２】
0003224805.tif 000004
【図３】
0003224805.tif 000005
【図４】
0003224805.tif 000006
【図５】
0003224805.tif 000007
【図６】
0003224805.tif 000008
【図７】
0003224805.tif 000009
【図８】
0003224805.tif 000010
【図９】
0003224805.tif 000011
【図１０】
0003224805.tif 000012
【手続補正書】
【提出日】令和1年11月14日(2019.11.14)
【手続補正１】
【補正対象書類名】実用新案登録請求の範囲
【補正対象項目名】請求項６
【補正方法】変更
【補正の内容】
【請求項６】
正面視において、
前記指掛凹部のうち最も前記第１仮想線から離れた位置と、前記指掛屈曲部の頂点とを結ぶ仮想線を第２仮想線として、
前記第１仮想線と前記第２仮想線とが成す角度は、５度以下である、
請求項５に記載の鋏。
【手続補正２】
【補正対象書類名】実用新案登録請求の範囲
【補正対象項目名】請求項９
【補正方法】変更
【補正の内容】
【請求項９】
前記第１仮想線に沿う方向における、前記薄刃部の刃線の長さは、
前記第１仮想線に沿う方向における、前記刃体に形成された刃線の全長の１０パーセントから５０パーセントである、
請求項８に記載の鋏。
【手続補正３】
【補正対象書類名】実用新案登録請求の範囲
【補正対象項目名】請求項１０
【補正方法】変更
【補正の内容】
【請求項１０】
正面視において、
前記刃体は、
刃先部が湾曲形状に形成されている、
請求項８または請求項９のいずれか１項に記載の鋏。